(57)【特許請求の範囲】
【請求項１】
複数の磁極を有する回転子または固定子を複数個有し、前記回転子または固定子間に磁束変調のための磁極片群が設けられた磁気歯車機構において、
凹部を設けた出力軸一体軸受け保持部と、突起を設け分割した非磁性かつ非導電性部材から構成される磁極片保持部で磁極片を挟んで周方向に並べて配置することで構成した磁束変調部と、凹部を設けた反出力側軸受け保持部で嵌め込み構成とすることを特徴とする磁気歯車機構。
【請求項２】
請求項１に記載の磁気歯車機構において、
前記磁極片保持部の軸方向両端と周方向片側のみに突起を設けることを特徴とする磁気歯車機構。
【請求項３】
請求項１に記載の磁気歯車機構において、
前記磁極片保持部の軸方向両端と周方向両側に突起を設けることを特徴とする磁気歯車機構。
【請求項４】
請求項２又は３に記載の磁気歯車機構において、
前記磁極片保持部の周方向に設けた突起を階段状にし、前記磁極片を挟んで隣り合うもう一つの磁極片保持部の突起も階段状にし、前記二つの磁極片保持部の階段状の突起を嵌め合う構造としたことを特徴とする磁気歯車機構。
【請求項５】
請求項１乃至４のいずれか１項に記載の磁極片保持部において、
前記磁極片保持部の径方向外周側と径方向内周側またはそのどちらか一方に突起を設けたことを特徴とする磁気歯車機構。
【請求項６】
請求項１乃至５のいずれか１項に記載の磁気歯車機構において、
前記磁極片の径方向内周の長さが径方向外周の長さよりも長く、前記磁極片保持部は前記磁極片に対応させ、径方向内周側の長さを径方向外周側の長さよりも短くしたことを特徴とする磁気歯車機構。
【請求項７】
請求項１，３乃至６のいずれか１項に記載の磁気歯車機構において、
前記磁極片保持部を周方向中央付近で二つに分割したことを特徴とする磁気歯車機構。
【発明の詳細な説明】
【技術分野】
【０００１】
本発明は、磁気式歯車機構に関する。
【背景技術】
【０００２】
近年、回転機を適用した製品は用途ごとに、大トルクが必要な場合や高速回転が必要な場合など、仕様は様々である。例えば、風力発電機は風車が数百ｒ／minと非常に遅い速度で回転しているため、発電機と接続しても電力を得ることはできない。電力を得るためにはより速い速度に変換する必要がある。そのため、風車と発電機をギヤで接続し、回転速度を増速することで電力を得る。また自動車のトランスミッションは、エンジンで発生した動力を車の走行状態に応じて任意もしくは自動で適切なトルク＆回転数に変換させる装置であり、この変換にもギヤが用いられている。このように回転機を適用したアプリケーションには広くギヤが適用されている。そして現在使用されているほとんどのギヤが機械式の歯車である。この機械式の歯車は潤滑油の不足や歯の欠けによるメンテナンスが必要であることや、騒音が大きい等、実用上における問題点が多い。こうした背景から、非接触で磁気的な吸引力と反発力を利用した磁気式歯車の検討がされているが、従来の磁気式歯車では、磁石と磁石の対向面積が小さくトルク密度が低いため、実用化までには至らなかった。しかし、最近では磁束変調型構造の磁気ギヤの提案によって磁気式歯車の高トルク密度化が実現されている（非特許文献１）。また、磁気歯車における渦電流損失などの検討もされてきている（非特許文献２，３）。この中で磁束変調部における磁極片群の位置決めや固定方法および強度向上に関する技術が特許文献１に示されている。
【先行技術文献】
【特許文献】
【０００３】
【特許文献１】ＷＯ２００９／０８７４０８
【非特許文献】
【０００４】
【非特許文献１】K. Atallah and D. Howe: A Novel High-Performance Magnetic Gear: IEEE Transactions on Magnetics, Vol. 37, No. 4, pp. 2844-2846
【非特許文献２】Journal of the Magnetics Society of Japan Vol.33, No.2, 2009「永久磁石式磁気ギヤの効率向上に関する一考察」
【非特許文献３】Ｊournal of the Magnetics Society of Japan Vol.34, No.3, 2010「永久磁石式磁気ギヤの回転子構造に関する検討」
【発明の概要】
【発明が解決しようとする課題】
【０００５】
上記非特許文献１は、磁気式歯車の原理と磁気特性を紹介したものであり、その機構や強度に関しては検討されていない。また、上記非特許文献２および３には、磁気歯車における渦電流損失などの検討はなされているが、その機構や強度については検討されていない。
【０００６】
一方、上記特許文献１の中に、周方向に一定の間隔を空けて配置された磁極片群の全体をモールドする方法が開示されている。しかし、樹脂などでモールドするには強度が不十分であることや、モールド後に生じるクラックに対する配慮も必要である。また、モールドする作業工程が増加し、作業時間自体も長くなる。このような理由から、上記のような方法では、実用化を考えた場合、課題が多く残る。同様に上記特許文献１の中には、一定間隔で周方向に配置された磁極片群を端部でエンドリングを構成し、固定する方法が開示されている。これには二通りの方法が書かれている。一つ目は、エンドリングと磁極片群を一体構成する技術である。磁極片群は文字通り、材質が電磁鋼板や圧紛磁心，アモルファス金属，パーメンジュールなどの軟磁性材料から構成される。そのため、このような一体構成とした場合にはエンドリングも磁性体から構成されることとなり、磁束がエンドリング側に流れてしまう可能性が高い。よって、トルク性能に大きな障害を立てることとなり、上記手法は望ましくない。二つ目の手法としてはエンドリングを非磁性部材として磁極片群と端部で溶接する方法が開示されている。この場合は、溶接部だけで強度を保たなければならないことや、製造時の位置合わせが困難であること、それに加え作業工程が複雑化し、製造コストが増加することが考えられる。
【０００７】
本発明の目的は、上記課題に対する解決策であり、トルク性能を高くすることができ、組み立てが容易な磁気式歯車機構を提供することにある。
【課題を解決するための手段】
【０００８】
上記課題を解決するために、例えば、複数の磁極を有する回転子または固定子を複数固有し、それらの回転子または固定子間に磁束変調のための磁極片群が設けられた磁気式歯車機構において、凹部を設けた出力軸一体軸受け保持部と突起を設け分割した非磁性かつ非導電性部材で磁極片をはさんで周方向に並べて配置することで構成した磁束変調部と凹部を設けた反出力側軸受け保持部で嵌め込み構造とすることで、強度を高く、組み立てやすさにも優れた磁束変調部を構成できる。
【発明の効果】
【０００９】
本発明において、開示される発明のうち、代表的なものによって得られる効果を簡単に説明すれば以下のとおりである。本発明によれば、各々の部品を別々に作ることができ、組み立てが容易であり、かつ高強度に仕上げることが可能である。また、磁極片保持部を非磁性かつ非導電性にし、軸受け保持部との間に突起を設ける構造とすることで、磁極片と軸受け保持部との絶縁も確保することができる。
【図面の簡単な説明】
【００１０】
【図１】本発明の磁気歯車機構の軸方向断面図。
【図２】本発明の磁気歯車機構の磁気回路部の構成を示す軸方向に垂直な断面図。
【図３】本発明の実施例１の磁束変調部の構造を示す図。
【図４】本発明の実施例２の磁束変調部の構造部品を示す図。
【図５】本発明の実施例３の磁束変調部の構造部品を示す図。
【図６】本発明の実施例４の磁束変調部の構造部品を示す図。
【図７】本発明の実施例５の磁束変調部の構造部品を示す図。
【発明を実施するための形態】
【００１１】
以下、本発明による磁気式歯車機構の実施形態について図面を用いて説明する。尚、以下の実施形態では、ラジアルギャップ型を用いて説明するが、他の形式（例えば、アキシャルギャップ型やリニア型など）に関しても、同様に実現可能である。
【実施例１】
【００１２】
まず、図１および、図２，図３を用いて本発明に係る第１の実施例について説明する。図１は本発明の磁気式歯車機構の軸方向断面図を示している。また、図２は図１で示す磁気式歯車機構の磁気回路部となるＡ−Ａ′断面図を示している。図３は図２に示す磁気回路機構における磁束変調部１ａ，１ｂの構造部品と組み立て方法を示している。
【００１３】
まず図１を用いて全体の構成を説明する。本磁気式歯車はリアブラケット３１，径方向ハウジング３２，フロントブラケット３３で筺体を構成している。
【００１４】
図面右端に突出する軸１１は高速回転用の回転子軸である。この軸１１はリアブラケット３１に配置される軸受１４と、図面左端に突出する出力軸一体型軸受け保持部２に配置される軸受２３ｂによって支持されている。出力軸一体型軸受け保持部２については後に説明する。高速回転用の回転体は軸１１と、電磁鋼板，圧紛磁心，アモルファス金属，パーメンジュールなどの軟磁性材料で構成される鉄心１２が軸１１の外側（外周）に軸方向に積層された状態で保持される。さらにその外側（外周）には複数個の永久磁石１３が周方向に配置され、各々の極の向きが隣合わせる永久磁石１３で径方向内向きと外向きが交互になるように配置されている。この永久磁石１３は鉄心１２の表面に貼り付いているか、または鉄心１２の表面付近に永久磁石１３を挿入する孔を設け、その孔に挿入する構造でもよい。永久磁石１３が鉄心１２の表面に貼り付いている場合には、トルクを伝達する距離が短くなるので、トルク性能が増加する。孔に挿入する場合には、回転数に依存する遠心力で永久磁石１３が径方向に飛散するのを防止する効果があると同時に、径方向外側から交番する磁束によって生じる渦電流損を低減する効果がある。この場合、永久磁石１３を挿入する孔の周方向部と径方向外側部は回転子の強度を保つのに十分な厚みで極力薄く構成するものとする。
【００１５】
径方向最外部のハウジング３２の内側（内周）には電磁鋼板，圧紛磁心，アモルファス金属，パーメンジュールなどの軟磁性材料で構成され、軸方向に積層された鉄心２１が保持される。鉄心２１の内側（内周）には上記と同様に周方向に複数個の永久磁石２２が配置され、各々の極の向きが隣合わせる永久磁石２２で径方向内向きと外向きが交互になるように配置されている。この永久磁石２２も上記と同様に、表面に貼り付いているか、鉄心２１の表面近くに孔を設け、その孔に挿入する構造でもよい。それぞれの効果は上記に示した通りである。以上より、外側に固定子を構成している。
【００１６】
内側の高速回転体に配置された永久磁石１３と外側固定子に配置された永久磁石２２の間にギャップを介して配置されるのは、磁束変調部１である。この磁束変調部１は電磁鋼板，圧紛磁心，アモルファス金属，パーメンジュールなどの軟磁性材料でできた、磁性体のピースを所定の間隔で周方向に配置し、反出力側軸受け保持部３と出力軸一体型軸受け保持部２によって保持される。また出力軸一体型軸受け保持部２はフロントブラケット３３に配置される軸受２３ａと高速回転側の軸１１に配置される軸受２３ｂによって支持されており、高速回転の軸１１に対して相対的に低速回転で回転する。
【００１７】
次に、図２を用いて上記の磁気歯車機構における極数とギヤ比の関係について説明する。図２は図１におけるＡ−Ａ′断面を示している。まず径方向最内周側に配置されるのは高速回転用の回転子であり、軟磁性材料からなる鉄心１２と、その外側に複数個の永久磁石１３が周方向に配置され、隣り合う永久磁石１３ａ，１３ｂの極の向きが径方向内側と外側となるように構成されている。本実施例では内側回転子の極対数を６極対（１２極）とする。
【００１８】
最外周側に位置する固定子は、ハウジング３２に保持されており、電磁鋼板，圧紛磁心，アモルファス金属，パーメンジュールなどの軟磁性材料からなる鉄心２１と、その内側に複数個の永久磁石２２が周方向に配置され、隣り合う永久磁石２２ａ，２２ｂの極の向きが径方向内側と外側となるように構成されている。本実施例では外側固定子の極対数を１７極対（３４極）とする。
【００１９】
内側回転子と外側固定子の間にはそれぞれにギャップを介して磁束変調部１が配置される。磁束変調部１は軟磁性材料からなる磁性体１ａと非磁性体１ｂまたは空気領域が交互に配置される。
【００２０】
上記の場合、内側回転子の極対数が６で、外側固定子の極対数が１７であり、磁束変調部１における周方向の磁性体１ａの数は６に１７を加えた２３個となる。ギヤ比はこれより、回転する部分の極数から決定する。この場合は最外周側が固定されているので、内側の回転子とその外側に配置される磁束変調部１が回転することになる。磁束変調部１の磁性体１ａの数が２３、内側回転子の極対数が６であるため、２３を６で除した３.８３がギヤ比となり、極の少ない方が高速回転であり、極の多い方が高速回転体に対し、相対的に低速で回転する。
【００２１】
本実施例では、外側を固定しているが、磁束変調部１や内側回転子を固定子とした場合であっても、上記の極数の関係が成り立っていればギヤ比の関係は変わらない。つまり固定する箇所を変えることによってギヤ比を変えることも可能である。このことから、それぞれの回転子や固定子から見た相対的な速度は変わらない。よって、本実施例で示す固定部を回転させると、ギヤ比を変えることが可能である。
【００２２】
次に図３を用いて、本実施例における磁束変調部１の組み立て方法、およびその効果について説明する。図３には、図２に示す磁束変調部１ａ，１ｂの構造（ａ）と、図１に示す出力軸一体型軸受け保持部２の構造（ｂ）と、反出力側軸受け保持部３の構造（ｃ）と、磁束変調部１と出力軸一体型軸受け保持部２と反出力側軸受け保持部３とを回転軸の中心線ｃに沿って並べた斜視図（ｄ）について示す。図３（ａ）に示すように磁束変調部１は軟磁性材料からなる磁性体１ａと非磁性体１ｂから構成される。この時、磁性体１ａは周方向に円弧を有する扇型形状を軸方向に伸ばした立体構造であり、非磁性体１ｂは周方向に突起１ｂ−１を設けて磁性体１ａを軸方向両側から挟み込むような構造とする。さらに非磁性体１ｂには、軸方向両側に突起１ｂ−１よりも軸方向に突出するように突起１ｂ−２を設けておき、磁性体１ａと非磁性体１ｂを接着剤などで接着させることで一つのピースを形成し、それを周方向に連ねることで図１および図２に示す磁束変調部１を構成する。また、図３（ｂ）に示すように、出力側軸方向に配置される出力軸一体型軸受け保持部２の反出力軸側に凹部２ａを設け、図３（ｃ）に示すように反出力側軸受け保持部３の出力軸側にも凹部３ａを設けることにより、非磁性体１ｂの軸方向に設けた突起１ｂ−２を利用して図３（ｄ）に示すように、両側から嵌め込む構造にすることができる。全体をこのような構成とすることで、図３（ａ）に示すピースを単体で制作しても、簡単に組み立てができ、強度の高い構造とすることができる。また、非磁性体１ｂを非導電性の材料を用いて構成することにより、図３（ａ）の１ｂに示すように、周方向にある非磁性の突起１ｂ−１によって、磁性体１ａと軸受け保持部２，３との間を電気的に絶縁することができる。また、図１，図２および図３に示す磁束変調部１が本実施例のように回転する場合、磁束変調部１にかかる遠心力によって磁性体１ａが径方向に飛散するのを防止するため、磁束変調部１の外周側をテープなどでバインドすると径方向に対する強度を向上することができる。
【実施例２】
【００２３】
次に、図４を用いて第２の実施例について説明する。
【００２４】
図３（ａ）に示す磁性体１ａと非磁性体１ｂから構成される磁束変調部１をみると、非磁性体１ｂの周方向に突起１ｂ−１が設けられており、磁性体１ａを嵌め込む構造となっている。第１の実施例に示すように、この場合は磁性体１ａと非磁性体１ｂで構成された磁束変調部１は出力軸と一体になっているため、回転することによって径方向外側方向に遠心力が加わる。ここで、非磁性体１ｂの周方向にある突起１ｂ−１に着目すると、その長さは磁性体１ａの周方向の長さ分設けられている。この周方向の突起の長さと、径方向の遠心力に対する強度は反比例するため、上記突起１ｂ−１の径方向に対する強度を高めるためには、突起の周方向長さを短くする必要がある。そこで、図４に上記課題を解決するための実施例を示す。
【００２５】
図４（ａ）に組み立て構造を示しており、非磁性体１ｃの周方向両側に突起１ｃ−１を設ける。この構造により、磁性体１ａを二つの非磁性体１ｃで両側から挟み込み、接着剤等で接着することによって一つのピースを構成する。尚、非磁性部１ｂの突起１ｂ−２と同様の突起１ｃ−２を設けている。
【００２６】
組み立ての例としては、磁性体１ａを非磁性体１ｃの周方向突起部１ｃ−１間に嵌め込み、図３（ｃ）に示す反出力側軸受け保持部３に設けた凹部３ａまたは図３（ｂ）に示す出力軸一体型軸受け保持部２に設けた凹部２ａのいずれか一方に嵌め込みながら、非磁性体１ｃと磁性体１ａを周方向に配置していく。その後、軸方向反対側からもう一方の軸受け保持部（２または３）を嵌め込むことによって、両側から固定する。このような構成にすることで、非磁性体１ｃの周方向突起１ｃ−１の長さは図３（ａ）の非磁性体１ｂの突起１ｂ−１の長さの半分となり、突起部１ｃ−１は径方向遠心力に対して高い強度を持つことができる。この時、図４（ｂ）に示すように非磁性体１ｃを周方向中央付近で分割すると、軸受け保持部の凹部へ挿入・組み立てが容易となる。
【００２７】
図４（ｃ）は（ａ）を軸方向に切ったときの断面図を表している。図４（ｃ）に示すように、軸方向からみた断面図は図２の１ａ，１ｂに示される構造と変わらない。
【実施例３】
【００２８】
次に、図５を用いて第３の実施例について説明する。
【００２９】
第２の実施例では、磁束変調部１の周方向突起１ｃ−１が径方向の遠心力に対しても強度が上がるように周方向の長さ半分にし、磁性体１ａを両側から挟み込む構造とした。
【００３０】
本実施例では非磁性体の周方向突起における径方向遠心力に対するさらなる強度向上、および磁性体１ａを挟み込む二つの非磁性体同士の接着力の向上を目的として、図５の１ｄ−１に示すように周方向の突起に段差を設けることによって周方向の突起の長さを等価的に短くすると同時に、非磁性体１ｄ同士が接着する面を広くとる構造とする。このような構造とすることで、周方向の突起１ｄ−１にかかる径方向の遠心力に対して、強度をより高めることができる。尚、非磁性部１ｂの突起１ｂ−２と同様の突起１ｄ−２を設けている。
【００３１】
組み立ての例として、第２の実施例と同様に、磁性体１ａを非磁性体１ｄの周方向突起部１ｄ−１間に嵌め込み、図３（ｃ）に示す反出力側軸受け保持部３に設けた凹部３ａまたは図３（ｂ）に示す出力軸一体型軸受け保持部２に設けた凹部２ａのいずれか一方に嵌め込みながら、非磁性体１ｃと磁性体１ａを周方向に配置していく。その後、軸方向反対側からもう一方の軸受け保持部である、出力軸一体型軸受け保持部２若しくは反出力側軸受け保持部３を嵌め込むことによって、両側から固定する。非磁性体１ｄに磁性体１ａを嵌め込む際には、接着剤等で固定するようにする。このとき、図５（ｂ）に示すように、非磁性体１ｄを周方向中央付近で分割することにより、軸受け保持部２，３の凹部２ａ，３ａへの挿入・組み立てが容易となる。
【００３２】
また、図５（ｃ）は（ａ）を軸方向に切ったときの断面図を表している。図５（ｃ）に示すように、軸方向からみた断面図は図２の１ａ，１ｂに示される構造と変わらない。
【実施例４】
【００３３】
次に、図６を用いて第４の実施例について説明する。
【００３４】
図３（ａ）に示す磁束変調部１における非磁性体１ｂは軸方向に突起が設けられており、図３（ｂ），（ｃ）に示す軸受け保持部２，３に設けられた凹部２ａ，３ａに軸方向両側から嵌め込まれる構造となっており、固定されている。ところが、図３〜図５に示す磁性体１ａは非磁性体１ｂ，１ｃ，１ｄの周方向に設けられた突起によって挟み込まれているだけで、径方向の遠心力に対しては磁束変調部１の外周側をテープでバインドするなどして補強することが望ましい。
【００３５】
本実施例では非磁性体の構造を工夫することによって、径方向にかかる遠心力に対して、磁性体１ａが径方向へ飛散するのを防止する方法を示す。ここまでの実施例で示した非磁性体１ｂ，１ｃ，１ｄに着目すると、図３，図４，図５に示すように、周方向に一定の幅を有している。この非磁性体１ｂ，１ｃ，１ｄを図６（ａ）の１ｅに示すように、径方向内周側と外周側のみ周方向の幅を広げ、周方向に窪みができるような構造にする。この窪みに磁性体１ａを嵌め込むようにし、それを周方向に連ねることで磁束変調部１を構成する。非磁性体１ｅでは、周方向突起として図４の１ｃ−１と同様な突起を用いているが、図３の周方向突起１ｂ−１或いは図５の周方向突起１ｄ−１と同様な突起にしてもよい。尚、本実施例でも、非磁性部１ｂの突起１ｂ−２と同様の突起１ｅ−２を設けている。
【００３６】
組み立ての例として、第２〜第３の実施例と同様に、磁性体１ａを非磁性体１ｅの周方向突起部１ｅ−１間に嵌め込み、図３（ｃ）に示す反出力側軸受け保持部３に設けた凹部３ａまたは図３（ｂ）に示す出力軸一体型軸受け保持部２に設けた凹部２ａのいずれか一方に嵌め込みながら、非磁性体１ｅと磁性体１ａを周方向に配置していく。その後、軸方向反対側からもう一方の軸受け保持部である、出力軸一体型軸受け保持部２若しくは反出力側軸受け保持部３を嵌め込むことによって、両側から固定する。また、非磁性体１ｅに磁性体１ａを嵌め込む際には接着剤等で固定するようにする。さらに、本実施例の場合、径方向の遠心力に対しては外側から保持されればよいので、図６では外周側と内周側の両方で周方向の幅を広げているが、外周側のみ周方向の幅を広げる構造でもよい。このとき、図６（ｂ）に示すように、非磁性体１ｅを周方向中央付近で分割すると、軸受け保持部２，３の凹部２ａ，３ａへの挿入・組み立てが容易となる。
【００３７】
また、図６（ｃ）はその軸方向断面図を表しており、磁性体１ａが非磁性体１ｅに挟み込まれ、径方向内周側と外周側にできた突起で保持できていることがわかる。
【００３８】
この突起により、磁性体１ａを径方向に対して保持することができる。
【実施例５】
【００３９】
次に、図７を用いて第５の実施例について説明する。
【００４０】
本実施例では、磁束変調部１の磁性体と非磁性体の形状を工夫することにより、径方向の遠心力に対して、径方向へ磁性体が飛散するのを防止する方法を示す。
【００４１】
図７の１ｆには磁性体の形状を示し、図７の１ｇには非磁性体の形状を示す。本実施形態において磁性体１ｆの形状は、図２〜図６で示した磁性体１ａと比較すると、径方向内側の幅が広く、径方向外側の幅は小さくなっている。それに対応する形で、非磁性体１ｇは径方向内側の幅が狭く、径方向外側の幅が広い。このようにして、磁性体１ｆを非磁性体１ｇに挟み込む構造とすることで、磁束変調部１が回転した場合に生じる径方向外側を向く遠心力に対して、磁性体１ｆが径方向外側へ飛散するのを防止する効果が得られる。
【００４２】
非磁性体１ｇでは、周方向突起として図４の１ｃ−１と同様な突起を用いているが、図３の周方向突起１ｂ−１或いは図５の周方向突起１ｄ−１と同様な突起にしてもよい。尚、本実施例でも、非磁性部１ｂの突起１ｂ−２と同様の突起１ｅ−２を設けている。
【００４３】
組み立ての例として、第２〜第４の実施例と同様に、磁性体１ｆを非磁性体１ｇの周方向突起部１ｇ−１間に嵌め込み、図３（ｃ）に示す反出力側軸受け保持部３に設けた凹部３ａまたは図３（ｂ）に示す出力軸一体型軸受け保持部２に設けた凹部２ａのいずれか一方に嵌め込みながら、非磁性体１ｅと磁性体１ａを周方向に配置していく。その後、軸方向反対側からもう一方の軸受け保持部である、出力軸一体型軸受け保持部２若しくは反出力側軸受け保持部３を嵌め込むことによって、両側から固定する。また、非磁性体１ｇに磁性体１ｆを嵌め込む際には接着剤等で固定するようにする。このとき、非磁性体１ｇを周方向中央付近で分割することにより、軸受け保持部の凹部への挿入・組み立てが容易となる。
【００４４】
本実施例においても、第４の実施例と同様に非磁性体１ｇの周方向の突起に段差をつける形状とすることで強度向上と、非磁性体同士や磁性体との接着面積を広げ、接着力を向上することができる。
【符号の説明】
【００４５】
１  磁束変調部
２  出力軸一体型軸受け保持部
３  反出力側軸受け保持部
４，１４，２３ａ，２３ｂ  軸受
１１  内側ロータ軸
１２  内側ロータ鉄心
１３  内側ロータ磁石
２１  外側固定子鉄心
２２  外側固定子磁石
３１  リアブラケット
３２  ハウジング
３３  フロントブラケット
【図１】
0005350438.tif 000002
【図２】
0005350438.tif 000003
【図３】
0005350438.tif 000004
【図４】
0005350438.tif 000005
【図５】
0005350438.tif 000006
【図６】
0005350438.tif 000007
【図７】
0005350438.tif 000008